(57)【要約】【課題】  簡単に密閉かつ開放できる液状物の密閉容器を提供すること【解決手段】  蓋と該蓋の周縁部に設けられたシール部材とから構成される蓋体、バケツ体および紐状物で構成される密閉容器であって、該シール部材の外周部に沿って紐状物が保持されており、該バケツ体の開口部を該蓋体で被覆したときに該シール部材の内周側が該バケツ体の外周部と接するように構成され、該紐状物によって該シール部材とバケツ体とを密着させるように構成された、密閉容器が提供される。好ましくは紐状物の少なくとも一端を固定した締付具を備え、該締付具を操作することにより、該紐状物を引張り、前記シール部材とバケツ体とを密着させるように構成されている。本発明の密閉容器は、ポータブルトイレ用の便器として、好ましく用いられる。【選択図】  図１
2005334191.tif 000002
【特許請求の範囲】
【請求項１】
蓋と該蓋の周縁部に設けられたシール部材とから構成される蓋体、バケツ体および紐状物で構成される密閉容器であって、
該シール部材の外周部に沿って紐状物が保持されており、
該バケツ体の開口部を該蓋体で被覆したときに該シール部材の内周側が該バケツ体の外周部と接するように構成され、
該紐状物によって該シール部材とバケツ体とを密着させるように構成された、密閉容器。
【請求項２】
前記蓋体が、さらに、該紐状物を締め付けるための締付具を備え、該締付具を操作することにより該紐状物を引張り、前記シール部材とバケツ体とを密着させるように構成された、請求項１に記載の密閉容器。
【請求項３】
前記密閉容器が、ポータブルトイレ用の便器である、請求項１または２に記載の密閉容器。
【発明の詳細な説明】
【技術分野】
【０００１】
本発明は、密閉容器に関する。さらに詳しくは、簡単に密閉でき、開放も簡単な密閉容器に関する。
【背景技術】
【０００２】
近年、病院、家庭などの介護の現場において、ポータブルトイレが使用されるケースが増加している。一般的にポータブルトイレは、椅子にトイレ用の便座を設け、便座の下に汚物を収容する便器（バケツ体）が収納されている。近年、ポータブルトイレの改善が進み、脱臭装置を備えた密閉容器（特許文献１）あるいは水洗タイプのポータブルトイレなども考案されている。
【０００３】
しかし、どのようなタイプのポータブルトイレであっても、排便後、便器（バケツ体）を取り出し、汚物を処理する点では共通する。この汚物の処理に際して、便器（バケツ体）に蓋をして持ち運びするが、蓋とバケツ体とが密閉されないと、汚物がこぼれる、臭いが漏れるなどの問題がある。
【０００４】
蓋とバケツ体を密閉するための検討は多数なされている。例えば、特許文献２にはバケツの蓋にリング状凹面を設け、バケツ容器の側面に凸面を設けて嵌合して密閉する構造が開示されている。特許文献３および特許文献４には容器の蓋の周縁に軟質材料を設け、蓋と容器の外周と嵌合させる構造が開示されている。特許文献５には蓋の周縁部の下面に環状ヒレを突設し、バケツ体には嵌合面を設けて蓋とバケツ体とが密着するような構造が開示されている。また、特許文献６には、蓋板の下面に軟質材料からなる鍔部を周設し、この鍔部の外周面がバケツ容器の開口部に内接するように構成した容器が開示されている。
【０００５】
これらの先行技術に記載された構造は、いずれも蓋とバケツ体とを嵌合されて密閉する構造である。そのため、これらの構造を便器に応用した場合、蓋を閉じて便器を密閉する時、あるいは便器の蓋を開ける時に、力が一部に偏ること、あるいは開けるときに反動がつくことがある。そのためバランスが崩れ、液状の汚物が容器内で揺れ動き、開放したときに漏れやすい、汚物が跳ね返るという問題が考えられる。特に、病人あるいは介護者が高齢者である場合、蓋とバケツ体との嵌合あるいは開放に力を要するため、開閉がしにくいという問題もある。
【０００６】
また、特許文献７には、箱体と箱体に備えられた袋とで構成され、紐で袋を縛って密閉する簡易便器が開示されている。この簡易便器では、臭気を断つことが困難であり、紐が箱体の外部から袋を縛るため、袋を取り出すことが困難であり、使い勝手がよくない。
【特許文献１】特開２００１−２１８８０３号公報
【特許文献２】特開平８−１６９７９０号公報
【特許文献３】特開２００２−２５５２０５号公報
【特許文献４】特許第３１９１０４５号公報
【特許文献５】特開平１１−１７１２２４号公報
【特許文献６】実開平２−１３５４６３号公報
【特許文献７】実開平７−２５８９７号公報
【発明の開示】
【発明が解決しようとする課題】
【０００７】
本発明は、簡単に密閉かつ開放できる密閉容器、特に液状物の密閉容器を提供することを目的とする。特に好ましくは、病人あるいは高齢者でも簡単に密閉、開放できるポータブルトイレなどに用いられる便器を提供することを目的とする。
【課題を解決するための手段】
【０００８】
本発明は、蓋と該蓋の周縁部に設けられたシール部材とから構成される蓋体、バケツ体および紐状物で構成される密閉容器であって、該シール部材の外周部に沿って紐状物が保持されており、該バケツ体の開口部を該蓋体で被覆したときに該シール部材の内周側が該バケツ体の外周部と接するように構成され、該紐状物によって該シール部材とバケツ体とを密着させるように構成された、密閉容器を提供する。
【０００９】
好ましい実施態様においては、前記蓋体が、さらに、該紐状物を締め付けるための締付具を備え、該締付具を操作することにより該紐状物を引張り、前記シール部材とバケツ体とを密着させるように構成されている。
【００１０】
さらに好ましい実施態様においては、前記密閉容器がポータブルトイレ用の便器である。
【発明の効果】
【００１１】
本発明の密閉容器は、蓋とこの蓋の周縁部に設けたシール部材で構成される蓋体でバケツ体を覆い、シール部材の外周に保持した紐状物を引張り、固定するという簡単な操作で、容器を密閉することができる。好ましくは、締付具を用いて、紐状物を引張り固定することにより、容器をより容易に密閉できる。締付具は、片手でも容易に操作できるように構成しているため、病人あるいは高齢者でも簡単に操作できる。従って、特に、病人や高齢者などの介護の現場で使用されるポータブルトイレの便器として利用する場合は、汚物を廃棄する際の汚物の漏れ、あるいはこぼれの心配がなく、便利である。
【発明を実施するための最良の形態】
【００１２】
本発明の密閉容器を、ポータブルトイレ用の便器を例にあげて説明する。図１は、本発明の密閉容器（便器）の側面図である。図１の便器１は、蓋２１と蓋２１の周縁部に設けられたシール部材２２と取っ手２４とから構成される蓋体２が、バケツ体３の開口部を覆った状態を示す。このときシール部材２２の内周側がバケツ体３の外周部と接するように構成されている。このシール部材２２の外周には、紐状物２３が保持されており、この紐状物２３の両端をもって引っ張り、結び目を形成させることにより、容器が密閉される。
【００１３】
図１に示す便器１は、締付具４を蓋体２に配置し、手で紐状物を引っ張る代わりに、締付具４を操作して、シール部材２２とバケツ体３とを密着させ、紐状物２３を固定することにより、便器１を密閉するように構成されている。締付具４は、紐状物２３の少なくとも一端を固定または係止するように構成されていることが好ましい。
【００１４】
この便器１の使用方法の一例を以下に示す。例えば、便器１は椅子の座席の下に、収納される。座席をはずすと便座があり、その下に蓋体２を載置したバケツ体３が収納されている。蓋体２を外してバケツ体３の開口部を露出させる。このとき、便器１を運搬するための取っ手３１は、突起３２に載置されている。用が済んだら、蓋体２をバケツ体３に被せ、締付具４を操作して、紐状物２３を引張って固定し、それによって、シール部材２２をバケツ体３の外周面と密着させ、便器１を密閉する。密閉が完了したら、取っ手３１を持ち上げて便器１をポータブルトイレから取り出し、廃棄場所で締付具４を操作して紐状物２３を緩め、蓋体２を外して、内容物を廃棄する。
【００１５】
以下、本発明の密閉容器の各構成について、詳しく説明する。
【００１６】
蓋２１およびバケツ体３を構成する材質に特に制限はない。プラスチック、金属などがあげられる。プラスチックが好ましく用いられる。プラスチックの中でも、硬質プラスチックが好ましく用いられる。
【００１７】
蓋２１の周縁部にはシール部材２２が配設されている。蓋２１の周縁部の全部をシール部材２２で構成してもよく、一部を蓋と同じ材料あるいは硬質材料で構成してもよい。どのような構成にするかは、後述の締付具４の種類および取付位置を考慮して、決定すればよい。
【００１８】
シール部材２２としては、軟質材料で構成されていることが好ましく、例えば、軟質プラスチック（例えば、エラストマー、シリコンラバーなど）が好ましい。
【００１９】
シール部材２２と蓋２１からなる蓋体２は一体成形してもよいが、材質が異なることから、一般的には、蓋２１およびシール部材２２を別々に製造して、接着あるいは溶融などの方法で貼り合わせて製造される。蓋２１とシール部材２２との貼り合わせ方法には特に制限がなく、例えば、図２に示す方法が採用される。図２Ｂに示す方法が、強度および製造の容易さを考慮すると、好ましい。なお、用いる材質（例えば金属）に応じて、その他の固定法（例えば、ネジ止め）などを用いてもよい。
【００２０】
シール部材２２の外周部には、紐状物２３が保持される。紐状物２３をシール部材２２の外周部に保持する手段は特に制限されない。図３にいくつかの保持形態を例示する。
【００２１】
例えば、図３Ａに示すように、シール部材２２の少なくとも一部を、紐状物２３が通過し得る円筒状の二重構造（中空構造）２６としてもよい。また、図３Ｂに示すように、シール部材の最下部に円筒状の空間（中空構造）２６を設けてもよい。さらに、図３Ｃに示すように、シール部材の最下部を折返し、紐状物２３を保持する構造としてもよい。紐状物２３の太さを考慮して、折返し部を上方に曲げるように構成してもよい。
【００２２】
バケツ体３の形状には、特に制限はない。通常、ポータブルトイレに用いられる形状であれば、いずれの形状も用いられる。バケツ体３には、一般に上部に周縁部が設けられている。本発明の密閉容器が紐状物２３で密閉することを考慮して、バケツ体３の上部周縁部に傾斜構造部を設けることが好ましい。
【００２３】
図４は、バケツ体３の上部周縁部３３に設けられた傾斜構造部３４を示す模式図である。図４Ａに示すように、傾斜構造部３４はバケツ体３の上部周縁部３３の先端部をバケツ体３の外壁３５の方向に向けて傾斜した部分を有している。傾斜構造部３４を有することにより、図４Ｂに示すように蓋体２を配置し、紐状物２３が引っ張られた時に、図４Ｃのようにシール部材２２が傾斜構造部３４と密着し、かつ傾斜構造部３４により、下方への圧力が働くことにより、紐状物２３がさらに強固に傾斜構造部３４を締め付ける。
【００２４】
紐状物２３の材質に特に制限はない。金属、プラスチック繊維、天然繊維、ゴム、コイルなどの伸縮性を有する弾性体（これらを一部に含むものを含む）などが使用できる。長さ、太さにも特に制限はなく、状況に応じて、適宜決定すればよい。
【００２５】
締付具４は、紐状物２３を引張り、該シール部材２２とバケツ体３とを密着させ、容器を密閉するために設けられる。締付具４は、紐状物２３を引張ることができる構造であれば特に制限はない。例えば、凸面と凹面を有する面ファスナーを紐状物２３の両端部に設け、凸面と凹面とがそれぞれ対向するように取り付け、引張って凸面と凹面とを貼り合せることにより、紐状物２３を固定し、容器を密閉することができる。締付具４は、紐状物の少なくとも一端を固定または係止するように構成されている。締付具４の具体的な例を図５〜８で説明するが、本発明の締付具４はこれらに限定されない。
【００２６】
図５は、蓋体２１に配置された締付具４０１の一例の模式図であり、図５Ａは、その左促面図である。締付具４０１は、球状あるいはリング状の頭部を有するピン４１ａおよび４１ｂを備え、それぞれの下端部４３ａおよび４３ｂには、紐状物２３の各端部が固定されている。ピン４１ａおよび４１ｂは、締付板４９に設けられた移動溝４２内に配置されているが、ピン４１ａは移動可能であり、他方、ピン４１ｂは固定されている。なお、ピン４１ｂは、移動溝４２外に設けてもよい。
【００２７】
図５Ｂは、図５Ａの締付具４０１の上面図である。図５Ｂに示すように、移動溝４２に沿って移動可能なピン４１ａを矢印方向に移動させ、移動溝４２内に設けられた鉤状部４４にピンを移動させることにより紐状物２３が引張られ、シール部材２２とバケツ体３３とが密着する。ピン４１ａを鉤状部４４で係止することにより、紐状物２３が固定されて、容器が密閉される。図５の締付具４０１を用いる場合は、片手でも操作でき、従って、簡単に容器を密閉できる。
【００２８】
なお、図５における移動溝４２は、締付板４９に形成されている。締付具４０１の強度を高めるために、例えば、図５Ｃに示すように、締付具４０１を配置する蓋２１の部分を下方に張出す（あるいはシール部材を覆う）ように構成してもよい。この場合、移動溝４２を蓋２１の張出し部分に一体的に設けてもよい。
【００２９】
図６に示す締付具４０２は、図５とほぼ同様の構造を有しているが、ピン４１ａおよび４１ｂがともに移動可能に移動溝４２に保持されている点で、図５の構造の締付具４０１とは異なる。図６の締付具４０２も、片手で操作できるので、容易に蓋体２とバケツ体３とを密閉できる。なお、図６の締付具４０２の強度を高めるために、図５Ｃと同様の構造としてもよい。
【００３０】
図７は、蓋体２１に配置された別の締付具４０３の模式図である。この締付具４０３は、巻き取り方式で紐状物２３を引張り、容器を密閉する。図７Ａは、締付具４０３を配置した蓋体２の正面図であり、図７Ｂは、締付具４０３の斜視図である。締付具４０３は、下端の対向する２ヶ所（４５ａ、４５ｂ）に紐状物２３の両端を固定したピン４５、およびピン４５の上部に配置され、ピンを回転させるための取っ手４６ａおよび４６ｂを備えている。取っ手４６ａおよび４６ｂは、図７Ｃに示すように、支点４７ａまたは４７ｂを介して可動的に取り付けられている。ストッパー４８は、例えば、取っ手４６ｂの回転方向に沿った円周上に係止溝であり、この溝に鋸目が刻まれている。取っ手４６ｂのストッパー４８による係止を解除し、図７Ｂに示す回転方向に回転させ、締め付けたところで、ストッパー４８に取っ手４６ｂの一端を挟んで、固定することにより、容器が密閉される。なお、取っ手４６ａはピン４５に固定されていてもよい。この場合、ストッパー４８の側壁の角度も４６ｂに応じて設計される。この締付具４０３も片手で操作でき、密閉−開放を容易に行うことができる。
【００３１】
図８は、締付具４の別の態様を表す模式図である。図８Ａは、支点５１を介して回転運動可能な、複数の係止溝５３を有するレバーを備える締付具４の側面図である。図８Ｂは、この締付具４を配置した部分の図である。締付具４は、図８Ａの上面図として表わされている。この締付具４の配置に際して、シール部材２２の強度を考慮し、密閉容器の蓋２１を、図５ｃと同様、蓋２１の締付具４を配置する部分（およびその近傍）がシール部材２２の一部に張出す（あるいはシール部材２２を覆う）ように構成されている。締付具４は、この蓋２１の張出部に、図８ｂのように取りつけられる。図８において、紐状物２３は、一端が固定部５２で固定され、他端を輪形に構成し、輪の先端を係止溝５３に架けて、支点５１に対して反対側のレバーの端部を矢印のように押し下げることにより、紐状物２３が引っ張られ、容器を密閉するように構成されている。開放するにはレバーの端部を引き上げる。したがって、この締付具４も片手で操作でき、密閉−開放を容易に行うことができる。
【産業上の利用可能性】
【００３２】
本発明の密閉容器は、漏れたら危険な固体あるいは液状物、あるいは汚物などの運搬、処理に使用される。特に、介護の現場におけるポータブルトイレなどの便器として有用である。
【図面の簡単な説明】
【００３３】
【図１】本発明の密閉容器（便器）の側面図である。
【図２】蓋と軟質材料からなるシール部材との接着様式の模式図である。
【図３】紐状物の種々の保持手段を示す模式図である。
【図４】バケツ体の上部周縁部（Ａ）、蓋を被せた場合（Ｂ）および密閉した場合（ｃ）の模式図である。
【図５】本発明に用いる締付具の一具体例の模式図である。
【図６】本発明に用いる締付具の別の具体例の模式図である。
【図７】本発明に用いる締付具のさらに別の具体例の模式図である。
【図８】本発明に用いる締付具のさらなる具体例の模式図である。
【符号の説明】
【００３４】
１  便器
２  蓋体
２１  蓋
２２  シール部材
２３  紐状物
２４  取っ手
２５  切り込み
２６  円筒状二重構造
３  バケツ体
３１  取っ手
３２  突起
３３  上部周縁部
３４  傾斜構造部
４  締付具
４１ａ、４１ｂ  ピン
４２  移動溝  
４３ａ、４３ｂ  下端部
４４  鉤状部
４５  ピン
４６ａ、４６ｂ  取っ手
４７  支点
４８  ストッパー
４９  締付板
５１  支点
５２  固定部
５３  係止溝
【図１】
2005334191.tif 000003
【図２】
2005334191.tif 000004
【図３】
2005334191.tif 000005
【図４】
2005334191.tif 000006
【図５】
2005334191.tif 000007
【図６】
2005334191.tif 000008
【図７】
2005334191.tif 000009
【図８】
2005334191.tif 000010